(57)【要約】【課題】カードがシートから分離される前の状態において、カードに表示された第１のコードを視認不可能としながらもシートに表示された第２のコードを視認可能な状態とするとともに、第１のコードと第２のコードとのマッチングミスを回避する。【解決手段】上紙１１及び下紙１２からなるカード台紙と支持台紙２０とが貼着され、カード台紙は、カード２が、分離可能に区画形成されるとともに支持台紙２０と剥離可能に貼着され、カード２の支持台紙２０との貼着面にＰＩＮコード４ａが表示され、支持台紙２０との貼着面にＰＯＳコード４ｂが表示され、支持台紙２０のＰＯＳコード４ｂと対向する領域に孔部３ｂが設けられている。【選択図】図２
2014130558.tif 000002
【特許請求の範囲】
【請求項１】
第１のシートと第２のシートとが貼着され、互いに対応づけられた第１及び第２のコードが表示され、前記第１のシートにカードが含まれるカード組み込みユニットであって、
前記第１のシートは、前記カードが、分離可能に区画形成されるとともに前記第２のシートと剥離可能に貼着され、前記カードの前記第２のシートとの貼着面に前記第１のコードが表示され、前記第２のシートとの貼着面に前記第２のコードが表示され、
前記第２のシートは、前記第２のコードと対向する領域に孔部を有するカード組み込みユニット。
【発明の詳細な説明】
【技術分野】
【０００１】
本発明は、コンピュータネットワーク上の電子店舗にて提供されるサービスの利用代金を、電子取引用プリペイドカードを用いて決済するシステムに用いられる、カード組み込みユニットに関する。
【背景技術】
【０００２】
近年、コンピュータネットワーク上の電子店舗における買物を、プリペイドカードを用いて利用可能とするシステムが実用化されており、例えば、特許文献１に開示されている。このようなシステムにおいては、プリペイドカードにＩＤ及びこれに対応づけられたＰＯＳコードが表示されており、プリペイドカードが購入される際、プリペイドカードに表示されたＰＯＳコードがＰＯＳレジにて読み取られることによってプリペイドカードが使用可能な状態となる。その後、プリペイドカードを購入した利用者は、プリペイドカードに表示されたＩＤを用いて、電子店舗にて買物を行うことになる。
【０００３】
ここで、上述したようなプリペイドカードを用いたシステムにおいては、ＩＤの不正使用が懸念される。そこで、不正使用を防止するために、プリペイドカードに表示されたＰＩＮコード上にスクラッチ層を設ける技術が考えられており、例えば、特許文献２に開示されている。この技術を用いれば、プリペイドカードが購入される前の状態においては、ＰＩＮコードが隠蔽されていることにより、ＰＩＮコードを用いた不正使用されることが回避される。
【０００４】
ところで、上述したプリペイドカードは、実店舗にて販売される際、台紙に分離可能に一体化して保持されることが好ましい。ここで、台紙上にカードを剥離可能に貼着し、この台紙にカード番号を表示する技術が、例えば、特許文献３に開示されている。この技術を用いれば、カードに対応する情報が表示された台紙にカードを分離可能に保持することができる。
【先行技術文献】
【特許文献】
【０００５】
【特許文献１】特開平１１−２０３５６０号公報
【特許文献２】特表２０１０−５３１０２１号公報
【特許文献３】特開平１１−１１０４９４号公報
【発明の概要】
【発明が解決しようとする課題】
【０００６】
しかしながら、特許文献３に開示されたもののように、カードに対応する情報が表示された台紙に、カードが剥離可能に貼着された状態では、カードに表示されたＰＩＮコード等の識別コードが隠蔽されておらず、識別コードを隠蔽するためには、特許文献２に開示されたもののように識別コード上にスクラッチ層を設けるか、あるいは、カードの台紙との貼着面に識別コードを表示する必要があるが、カードに表示される識別コードと、台紙に表示されるこれに対応するコードとを別々に印刷した場合、これらのコードのマッチングミスが生じる虞れがある。
【０００７】
本発明は、上述したような従来の技術が有する問題点に鑑みてなされたものであって、カードがシートから分離される前の状態において、カードに表示された第１のコードを視認不可能としながらもシートに表示された第２のコードを視認可能な状態とすることができるとともに、第１のコードと第２のコードとのマッチングミスを回避することができるカード組み込みユニットを提供することを目的とする。
【課題を解決するための手段】
【０００８】
上記目的を達成するために本発明は、
第１のシートと第２のシートとが貼着され、互いに対応づけられた第１及び第２のコードが表示され、前記第１のシートにカードが含まれるカード組み込みユニットであって、
前記第１のシートは、前記カードが、分離可能に区画形成されるとともに前記第２のシートと剥離可能に貼着され、前記カードの前記第２のシートとの貼着面に前記第１のコードが表示され、前記第２のシートとの貼着面に前記第２のコードが表示され、
前記第２のシートは、前記第２のコードと対向する領域に孔部を有する。
【０００９】
上記のように構成された本発明においては、第１のシートからカードが分離されていない状態においては、カードが第２のシートに貼着されているため、カードの第２のシートとの貼着面に表示された第１のコードが視認不可能な状態となっている。また、第２のコードは、第１のシートの第２のシートとの貼着面に表示されているが、第２のシートの第２のコードに対向する領域に孔部が設けられているため、この孔部を介して視認可能な状態となっている。その後、カードを第１のシートから分離すると、カードの第２のシートとの貼着面に表示された第１のコードが視認可能な状態となる。ここで、第１のコードと第２のコードとは、共に第１のシートの第２のシートとの貼着面に表示されているため、これらが同時に印字されることとなり、マッチングミスが回避される。
【００１０】
また、第１のシートと第２のシートとを、その外形が略同一であるものとすれば、第１のシートからカードが分離されていない状態において第２のコードを視認可能とする構成が、第２のシートに設けられた孔部であるため、全体の平坦性が損なわれることがない。
【発明の効果】
【００１１】
本発明によれば、カードに表示される第１のコードと、カードを分離可能に保持する第１のシートに表示される第２のコードとが、共に第１のシートの第２のシートとの貼着面に表示されており、第１のシートからカードが分離されていない状態において第２のシートに設けられた孔部を介して第２のコードが視認可能となるため、カードがシートから分離される前の状態において、カードに表示された第１のコードを視認不可能としながらもシートに表示された第２のコードを視認可能な状態とすることができるとともに、第１のコードと第２のコードとのマッチングミスを回避することができる。
【図面の簡単な説明】
【００１２】
【図１】本発明のカード組み込みユニットの第１の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は裏面側から見た斜視図である。
【図２】図１に示したカード組み込みユニットの分解図であり、（ａ）は上紙の表面図、（ｂ）は上紙の裏面図、（ｃ）は下紙の表面図、（ｄ）は下紙の裏面図、（ｅ）は支持台紙の表面図、（ｆ）は支持台紙の裏面図である。
【図３】図１及び図２に示したカード組み込みユニットの製造方法を説明するための図である。
【図４】図１及び図２に示したカード組み込みユニットが使用される環境を示す図である。
【図５】図４に示した環境における図１及び図２に示したカード組み込みユニットの使用方法を説明するためのフローチャートである。
【図６】図１及び図２に示したカード組み込みユニットの使用状態を示す図である。
【図７】本発明のカード組み込みユニットの第２の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は裏面側から見た斜視図である。
【図８】図７に示したカード組み込みユニットの分解図であり、（ａ）はカード台紙の表面図、（ｂ）はカード台紙の裏面図、（ｃ）は支持台紙の表面図、（ｄ）は支持台紙の裏面図である。
【図９】図７及び図８に示したカード組み込みユニットの使用状態を示す図である。
【図１０】本発明のカード組み込みユニットの第３の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は裏面側から見た斜視図である。
【図１１】図１０に示したカード組み込みユニットの分解図であり、（ａ）は上紙の表面図、（ｂ）は上紙の裏面図、（ｃ）は下紙の表面図、（ｄ）は下紙の裏面図、（ｅ）は支持台紙の表面図、（ｆ）は支持台紙の裏面図である。
【図１２】図１０及び図１１に示したカード組み込みユニットの使用状態を示す図である。
【発明を実施するための形態】
【００１３】
以下に、本発明の実施の形態について図面を参照して説明する。
【００１４】
（第１の実施の形態）
図１は、本発明のカード組み込みユニットの第１の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は裏面側から見た斜視図である。
【００１５】
本形態のカード組み込みユニット１は図１に示すように、その外形が同一となり、角部に丸みを帯びた上紙１１、下紙１２及び第２のシートとなる支持台紙２０が互いに貼着され、その一部に表裏貫通した孔部３ａが設けられて構成されている。上紙１１と下紙１２とは粘着剤５０によって貼着され、下紙１２と支持台紙２０とは擬似接着剤４０及び剥離ニス３０によって剥離可能に貼着されており、上紙１１と下紙１２とによって第１のシートとなるカード台紙１０が構成されている。
【００１６】
カード台紙１０には、スリット５が形成され、このスリット５によってカード２が分離可能に区画形成されている。支持台紙２０には、表裏貫通した孔部３ｂが設けられており、下紙１２に表示されたＰＯＳコード４ｂが孔部３ｂから表出して視認可能となっている。また、支持台紙２０には、通知情報２１ａが表示されている。
【００１７】
以下に、上述した上紙１１、下紙１２及び支持台紙２０の詳細な構成、並びに貼着構造について説明する。
【００１８】
図２は、図１に示したカード組み込みユニット１の分解図であり、（ａ）は上紙１１の表面図、（ｂ）は上紙１１の裏面図、（ｃ）は下紙１２の表面図、（ｄ）は下紙１２の裏面図、（ｅ）は支持台紙２０の表面図、（ｆ）は支持台紙２０の裏面図である。
【００１９】
図２（ａ）〜（ｄ）に示すように、上紙１１及び下紙１２からなるカード台紙１０にはスリット５が形成されており、それにより、カード２が分離可能に区画形成されている。
【００２０】
上紙１１の裏面、すなわち下紙１２との貼着面には、図２（ｂ）に示すように、その全面に粘着剤５０が塗布されており、また、下紙１１の表面、すなわち上紙１１との貼着面には、図２（ｃ）に示すように、その全面に粘着剤５０が塗布されており、上紙１１と下紙１２とがこの粘着剤５０によって貼着されている。
【００２１】
下紙１２の裏面、すなわち支持台紙２０との貼着面には、図２（ｄ）に示すように、第１のコードとなるＰＩＮコード４ａと、第２のコードとなるＰＯＳコード４ｂとが表示されている。これらＰＩＮコード４ａとＰＯＳコード４ｂとは、後述するが互いに対応づけられたものとなっている。ＰＩＮコード４ａはカード５の支持台紙２０との貼着面に表示されており、ＰＯＳコード４ｂは、カード５以外の領域の支持台紙２０との貼着面にバーコードによって表示されている。また、下紙１２の支持台紙２０との貼着面には、カード５及びカード５以外の領域のそれぞれに、スリット５に沿って一定の幅を有して剥離ニス３０が塗布されている。なお、下紙１２の裏面に剥離ニス３０を塗布した後にＰＩＮコード４ａを印字できるように、剥離ニス３０に囲まれた領域は少なくともＰＩＮコード４ａを印字する領域よりも広いことが好ましい。
【００２２】
支持台紙２０には、図２（ｅ），（ｆ）に示すように表裏貫通した孔部３ｂが設けられている。この孔部３ｂは、支持台紙２０が下紙１２と貼着された場合にＰＯＳコード４ｂと対向する領域に設けられている。支持台紙２０の下紙１２との貼着面には、図２（ｅ）に示すように、支持台紙２０が下紙１２と貼着された場合にカード５と対向する領域に通知情報２１ｂが表示されているとともに、下紙１２の剥離ニス３０に囲まれた領域に対向する領域を除く全面に擬似接着剤４０が塗布されている。支持台紙２０の裏面には、通知情報２１ａが表示されている。
【００２３】
以下に、上記のように構成されたカード組み込みユニット１の製造方法について説明する。
【００２４】
図３は、図１及び図２に示したカード組み込みユニット１の製造方法を説明するための図である。
【００２５】
図１及び図２に示したカード組み込みユニット１は、図３に示すように、上紙１１と下紙１２と支持台紙２０とがそれぞれ連続状となって供給され、互いに貼着された後に単片状に断裁されることによって製造される。
【００２６】
上紙１１、下紙１２及び支持台紙２０のそれぞれは、図３に示すように、連続状となってローラ６０ａ〜６０ｃから引き出され、ＰＩＮコード４ａやＰＯＳコード４ｂ、通知情報２１ａ，２１ｂ等が印字され、また、上紙１１においては下紙１２との貼着面に粘着剤５０が塗布され、下紙１２においては、上紙１１との貼着面に粘着剤５０が塗布されるとともに、支持台紙２０との貼着面に剥離ニス３０が塗布され、支持台紙２０においては下紙１２との貼着面に擬似接着剤４０が塗布され、一対のローラ６１ａ，６１ｂが対向する領域に搬送されていく。
【００２７】
この際、ＰＩＮコード４ａとＰＯＳコード４ｂとは、互いに対応づけられたものであるが、共に下紙１２の支持台紙２０との貼着面に同時に印字されるため、これらのマッチングミスを回避することができる。
【００２８】
ここで、カード２に情報を印字する場合にはカード台紙１０がプリンタ内を湾曲しながら搬送されることになるため、カード台紙１０が厚い場合、カード台紙１０を搬送しにくくなってしまい正確な印字が行われなくなる虞れがある。ところが、カード２としては、ある程度の厚さが必要である。そこで、カード台紙１０を上紙１１と下紙１２とに分けておき、これら上紙１１と下紙１２のそれぞれに情報が印字された後、上紙１１と下紙１２とを貼着してカード台紙１０を構成することにより、正確な印字を行いながらもカード２としてある程度の厚さを確保することができる。
【００２９】
上紙１１、下紙１２及び支持台紙２０のそれぞれが、一対のローラ６１ａ，６１ｂが対向する領域に搬送されると、これら上紙１１、下紙１２及び支持台紙２０がローラ６１ａ，６１ｂによって挟まれながら搬送されることにより、互いに貼着される。
【００３０】
その後、断裁部６２において、互いに貼着された連続状の上紙１１、下紙１２及び支持台紙２０が単片状に断裁される。この際、孔部３ａ，３ｂ及びスリット５も同時に形成されることになる。
【００３１】
単片状に断裁されたカード組み込みユニット１は、カード台紙１０と支持台紙２０とが、その外形が同一であり、カード台紙１０からカード２が分離されていない状態においてＰＯＳコード４ｂを視認可能とする構成が、支持台紙２０に設けられた孔部３ｂであるため、全体の平坦性が損なわれることがない。そのため、例えば、単片状に断裁された状態で積み重ねて保管された場合においても、不安定となることがなく保管しやすい。また、積み重ねて保管しない場合においても、搬送等の際に、ＰＩＮコード４ａを視認不可能としておくための隠蔽ラベル等が手等に引っかかって捲れ上がってしまうことがない。なお、上述したように平坦性を確保するためには、単片状に断裁されたカード組み込みユニット１のカード台紙１０と支持台紙２０との外形を完全に同一にしなくても、若干異なる場合も含む略同一とすればよい。
【００３２】
以下に、上述したカード組み込みユニット１の使用方法について説明する。
【００３３】
図４は、図１及び図２に示したカード組み込みユニット１が使用される環境を示す図であり、図５は、図４に示した環境における図１及び図２に示したカード組み込みユニット１の使用方法を説明するためのフローチャートである。
【００３４】
図１及び図２に示したカード組み込みユニット１は、図４に示すように、カード２を用いてサービスを提供するサービス提供サーバ７２と、通信回線７４を介してサービス提供サーバ７２と接続可能なＰＯＳ端末７１及び携帯端末７３とを有してなる環境で使用される。
【００３５】
まず、利用者がカード組み込みユニット１を購入する際、その店舗に設置されたＰＯＳ端末７１においてＰＯＳコード４ｂが読み取られる（ステップ１）。ＰＯＳコード４ｂは、上述したように、カード２がカード台紙１０から分離される前の状態において、支持台紙２０に設けられた孔部３ｂを介して表出して視認可能となっているため、ＰＯＳ端末７１にて読み取ることができる。また、カード２がカード台紙１０から分離される前の状態の状態においては、ＰＩＮコード４ａは支持台紙２０によって視認不可能となっている。なお、カード組み込みユニット１は、表裏貫通した孔部３を用いて吊り下げられる等して店舗に陳列されている。
【００３６】
カード組み込みユニット１から読み取られたＰＯＳコード４ｂは、ＰＯＳ端末７１から送信され（ステップ２）、通信回線７４を介してサービス提供サーバ７２にて受信される（ステップ３）。
【００３７】
サービス提供サーバ７２においては、販売されているカード組み込みユニット１のカード台紙１０に表示されたＰＯＳコード４ｂとＰＩＮコード４ａとがカード組み込みユニット１毎に対応づけて管理されており、ＰＯＳコード４ｂが受信されると、受信したＰＯＳコード４ｂについて、サービスを利用可能であることを示す利用可能フラグが“１”に設定され、ＯＮ状態となる（ステップ４）。
【００３８】
その後、カード組み込みユニット１を購入した利用者によって、携帯端末７３がサービス提供サーバ７２にアクセスした状態において、カード組み込みユニット１のカード２に表示されたＰＩＮコード４ａが携帯端末７３に入力されて送信されると（ステップ５）、このＰＩＮコード４ａが通信回線７４を介してサービス提供サーバ７２にて受信される（ステップ６）。
【００３９】
図６は、図１及び図２に示したカード組み込みユニット１の使用状態を示す図である。
【００４０】
図１及び図２に示したカード組み込みユニット１においては、カード２がスリット５によってカード台紙１０から分離可能に区画形成されているとともに、剥離ニス３０及び擬似接着剤４０によって支持台紙２０から剥離可能となっているため、カード組み込みユニット１を購入した利用者は、図６（ａ）に示すように、カード２をカード台紙１０から分離することができる。
【００４１】
すると、図６（ｂ）に示すように、カード２の支持台紙２０との貼着面に表示されたＰＩＮコード４ａが視認可能な状態となり、利用者はこのＰＩＮコード４ａを携帯端末７３に入力することになる。
【００４２】
また、カード２がカード台紙１０から分離されると、図６（ｃ）に示すように、支持台紙２０のカード台紙１０との貼着面に表示された通知情報２１ｂが視認可能な状態となる。
【００４３】
サービス提供サーバ７２においては、携帯端末７３から送信されてきたＰＩＮコード４ａが受信されると、まず、ＰＩＮコード４ａに対応づけられたＰＯＳコードが検索される（ステップ７）。サービス提供サーバ７２においては、上述したように、販売されているカード組み込みユニット１毎に、カード台紙１０に表示されたＰＯＳコード４ｂとＰＩＮコード４ａとが対応づけて管理されているため、受信したＰＩＮコード４ａに対応づけられたＰＯＳコードを検索することができる。
【００４４】
そして、検索されたＰＯＳコードについての利用可能フラグが“１”に設定されてＯＮ状態となっているかが確認される（ステップ８）。カード組み込みユニット１が購入されると、上述したようにそのカード組み込みユニット１のカード台紙１０に表示されたＰＯＳコード４ｂがＰＯＳ端末７１にて読み取られ、サービス提供サーバ７２にてそのＰＯＳコード４ｂについての利用可能フラグが“１”に設定されてＯＮ状態となるため、検索されたＰＯＳコードについての利用可能フラグが“１”に設定されてＯＮ状態となっている場合は、カード組み込みユニット１が正規に購入されたものであることとなり、サービス提供サーバ７２から携帯端末７３にサービスが提供され（ステップ９）、利用者は携帯端末７３においてサービスを利用することになる（ステップ１０）。
【００４５】
また、検索されたＰＯＳコードについての利用可能フラグが“１”に設定されておらずにＯＮ状態となっていない場合は、カード組み込みユニット１が正規に購入されたものではないため、サービスを利用不可能である旨のメッセージがサービス提供サーバ７２から送信される（ステップ１１）。
【００４６】
サービス提供サーバ７２から送信された、サービスを利用不可能である旨のメッセージは通信回線７４を介して携帯端末７３にて受信され、表示出力される（ステップ１２）。
【００４７】
なお、上述した一連の手順はカード組込みユニット１を利用する環境の一例であり、カード組込みユニット１を利用する環境はこれに限定されるものではない。
【００４８】
（第２の実施の形態）
図７は、本発明のカード組み込みユニットの第２の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は裏面側から見た斜視図である。また、図８は、図７に示したカード組み込みユニット１０１の分解図であり、（ａ）はカード台紙１０の表面図、（ｂ）はカード台紙１１０の裏面図、（ｃ）は支持台紙２０の表面図、（ｄ）は支持台紙２０の裏面図である。
【００４９】
本形態のカード組み込みユニット１０１は図７及び図８に示すように、第１の実施の形態に示したものに対して、カード台紙１１０が１枚のシートから構成されているとともに、カード台紙１１０と支持台紙２０とが角部に丸みを帯びておらず、さらに、カード２の４辺のうち対向する一対の辺のみがスリット１０５となり他の一対の辺がマイクロミシン１０６となっている点のみが異なるものである。
【００５０】
上記のように構成されたカード組み込みユニット１０１においても、第１の実施の形態にて示したものと同様の環境下で同様にして使用されることになる。
【００５１】
図９は、図７及び図８に示したカード組み込みユニット１０１の使用状態を示す図である。
【００５２】
図７及び図８に示したカード組み込みユニット１０１においても、カード２がスリット１０５及びマイクロミシン１０６によってカード台紙１１０から分離可能に区画形成されているとともに、剥離ニス３０及び擬似接着剤４０によって支持台紙２０から剥離可能となっているため、カード組み込みユニット１０１を購入した利用者は、図９（ａ）に示すように、スリット１０５の辺からマイクロミシン１０６を破断していくことによりカード２をカード台紙１１０から分離することができる。なお、本形態のように、カード２の４辺のうち対向する一対の辺のみをスリット１０５とし、他の一対の辺をマイクロミシン１０６とすることにより、カード２の４辺の全てがスリット１０５となっているものに比べて、カード２がカード台紙１０から不用意に脱落しにくくすることができる。
【００５３】
すると、図９（ｂ）に示すように、カード２の支持台紙２０との貼着面に表示されたＰＩＮコード４ａが視認可能な状態となるとともに、図９（ｃ）に示すように、支持台紙２０のカード台紙１１０との貼着面に表示された通知情報２１ｂが視認可能な状態となる。
【００５４】
利用者は、視認可能となったＰＩＮコード４ａを携帯端末７３に入力してサービス提供サーバ７２に送信することにより、サービス提供サーバ７２から提供されるサービスを利用することになる。
【００５５】
（第３の実施の形態）
図１０は、本発明のカード組み込みユニットの第３の実施の形態を示す図であり、（ａ）は表面図、（ｂ）は裏面図、（ｃ）は（ａ）に示したＡ−Ａ’断面図、（ｄ）は（ｂ）に示したＢ−Ｂ’断面図、（ｅ）は裏面側から見た斜視図である。また、図１１は、図１０に示したカード組み込みユニット２０１の分解図であり、（ａ）は上紙１１の表面図、（ｂ）は上紙１１の裏面図、（ｃ）は下紙１２の表面図、（ｄ）は下紙１２の裏面図、（ｅ）は支持台紙２０の表面図、（ｆ）は支持台紙２０の裏面図である。
【００５６】
本形態のカード組み込みユニット２０１は図１０及び図１１に示すように、第１の実施の形態に示したものに対して、ＰＯＳコード２０４ｂがカード２に表示されており、支持台紙２０のＰＯＳコード２０４ｂに対向する領域に孔部２０３ｂが設けられている点と、スリット５の代わりに一部にタイ部を具備するミシン線２０５が設けられている点と、下紙１２のＰＯＳコード２０４ｂが表示された領域とＰＩＮコード２０４ａが表示された領域との間にも剥離ニス３０が塗布されているとともに、支持台紙２０のこれと対向する領域にも擬似接着剤４０が塗布されている点が異なるものである。
【００５７】
上記のように構成されたカード組み込みユニット２０１においても、第１の実施の形態にて示したものと同様の環境下で同様にして使用されることになる。
【００５８】
図１２は、図１０及び図１１に示したカード組み込みユニット２０１の使用状態を示す図である。
【００５９】
図１０及び図１１に示したカード組み込みユニット２０１においても、カード２がミシン線２０５によってカード台紙１０から分離可能に区画形成されているとともに、剥離ニス３０及び擬似接着剤４０によって支持台紙２０から剥離可能となっているため、カード組み込みユニット２０１を購入した利用者は、図１２（ａ）に示すように、ミシン線２０５を破断することによりカード２をカード台紙１０から分離することができる。なお、カード２の支持台紙２０との貼着面に表示されたＰＯＳコード２０４ｂは、カード２がカード台紙１０から分離される前の状態において、支持台紙２０に設けられた孔部２０３ｂを介して表出して視認可能となっているため、第１の実施の形態に示したものと同様に、カード組み込みユニット２０１の購入時にＰＯＳ端末７１にて読み取ることができる。なお、本形態のように、カード２をスリットではなくミシン線２０５によってカード台紙１０から分離可能とするとともに、下紙１２のＰＯＳコード２０４ｂが表示された領域とＰＩＮコード２０４ａが表示された領域との間に領域においても、擬似接着剤４０と剥離ニス３０とによってカード台紙１０と支持台紙２０とが剥離可能に貼着されていることにより、カード２がカード台紙１０から不用意に脱落しにくくすることができる。
【００６０】
カード２がカード台紙１０から分離されると、図１２（ｂ）に示すように、カード２の支持台紙２０との貼着面に表示されたＰＩＮコード４ａが視認可能な状態となるとともに、図１２（ｃ）に示すように、支持台紙２０のカード台紙１０との貼着面に表示された通知情報２１ｂが視認可能な状態となる。
【００６１】
利用者は、視認可能となったＰＩＮコード４ａを携帯端末７３に入力してサービス提供サーバ７２に送信することにより、サービス提供サーバ７２から提供されるサービスを利用することになる。
【符号の説明】
【００６２】
１，１０１，２０１    カード組み込みユニット
２    カード
３ａ，３ｂ，２０３ｂ    孔部
４ａ    ＰＩＮコード
４ｂ，２０４ｂ    ＰＯＳコード
５，１０５    スリット
１０，１１０    カード台紙
１１    上紙
１２    下紙
２０    支持台紙
２１ａ，２１ｂ    通知情報
３０    剥離ニス
４０    擬似接着剤
５０    粘着剤
６０ａ〜６０ｃ，６１ａ，６１ｂ    ローラ
６２    断裁部
７１    ＰＯＳ端末
７２    サービス提供サーバ
７３    携帯端末
７４    通信回線
１０６    マイクロミシン
２０５    ミシン線
【図１】
2014130558.tif 000003
【図２】
2014130558.tif 000004
【図３】
2014130558.tif 000005
【図４】
2014130558.tif 000006
【図５】
2014130558.tif 000007
【図６】
2014130558.tif 000008
【図７】
2014130558.tif 000009
【図８】
2014130558.tif 000010
【図９】
2014130558.tif 000011
【図１０】
2014130558.tif 000012
【図１１】
2014130558.tif 000013
【図１２】
2014130558.tif 000014